(57)【特許請求の範囲】
【請求項１】
車両の前部に設けたフロントウインドスクリーンと、車両の後部に設けたリヤピラーとの間に屋根を設けた軽車両において、
前記屋根を、左右の線状の芯材と、該芯材間に架設され、折り畳み可能な布状部材とで構成し、
前記リヤピラーは、中空部材からなる上部ピラーと、該上部ピラーを折り畳み可能に支持する下部ピラーとからなり、前記芯材を前記上部ピラー内に収納可能とし、
前記上部ピラーは、下部ピラーに対して前下方に折り畳まれ、該上部ピラーは折り畳まれた屋根を付けた状態で軽車両のシート下方の収納ボックス内に収納するようにした、
ことを特徴とする屋根付き軽車両。
【請求項２】
前記屋根の布状部材は、前端部を芯材に固定し、その余の部分を芯材に対し摺動可能に支持し、後端部を前記上部ピラーに着脱自在に係止したことを特徴とする請求項１記載の屋根付き軽車両。
【請求項３】
前記下部ピラーには上部ピラーの起立状態をロックするロック機構を設けたことを特徴とする請求項１、又は請求項２記載の屋根付き軽車両。
【請求項４】
前記シートは前端部をヒンジとして揺動可能に支持され、かつ収納ボックスを上から塞ぐように配置され、前記収納ボックスには、屋根を付けた前記上部ピラーとともにヘルメットを収納可能としたことを特徴とする請求項１、又は請求項２記載の屋根付き軽車両。
【請求項５】
前記屋根の布状部材の前部には、該布状部材前端部を保持する保持部材を車幅方向に備え、該保持部材は車幅方向に伸縮自在に構成したことを特徴とする請求項１、又は請求項２記載の屋根付き軽車両。
【請求項６】
前記屋根の布状部材前端部を保持する保持部材には、前記ウインドスクリーン取付部材を設け、該取付部材を前記芯材に対してヒンジ結合したことを特徴とする請求項５記載の屋根付き軽車両。
【請求項７】
前記下部ピラーは、車体側に基端部を軸支したアーム部材を備え、該アーム部材の先端部には上部ピラーの下端部を軸支し、且つ該アーム部材には、上部ピラーの軸部と係脱自在なロックバーを該アームの長さ方向に設け、
該ロックバーを、前記アーム部材に回動軸を介して軸支した揺動ロック部材に連結し、該揺動ロック部材の係合部を、車体側に固定設置した固定ロック部材の係合部に係脱するように構成し、揺動ロック部材の回動軸を操作レバーで回動操作するように構成した請求項３記載の屋根付き軽車両。
【請求項８】
前記ロック部材の係合部は爪部であり、前記係止部材の係合部は２個の欠部であり、ロック部材の回動で、前記下部ピラーは、起立位置、倒れ位置の夫々で、前記２個の欠部の夫々に、選択的に係合するように構成した請求項７記載の屋根付き軽車両。
【発明の詳細な説明】
【０００１】
【発明の属する技術分野】
本発明は、屋根付き軽車両にかかる。
特に本発明は、折り畳み式とした屋根を備える軽車両で、屋根の折り畳みを容易化し、且つ折り畳んだ屋根を大幅に小型化し、更に屋根を支持するピラーをも折り畳んで小型化し、軽車両の収納ボックス内に容易に収納可能な程度に小型し得るようにした軽車両の屋根に関するものである。
【０００２】
【従来の技術】
スクーターのような軽車両において、雨天時の走行を円滑に行なわせるため、屋根を取り付けた形式のものが従来から提案され、実用に供されている。
従来の軽車両の屋根は、固定式のものが殆どである。
従って、晴天、降雨の如何に拘らず、屋根を備えた構造であって、屋根を取り付けてしまうと、雨天から晴天に移行したとしても、取り付けた屋根を取り外すことが困難である。
【０００３】
そこで、従来の屋根付きの軽車両で、屋根を脱着し得る構造のもが提案されており、屋根を脱着し得る軽車両として、従来、例えば特公平３−５２３９６号が知られている。
この軽車両においては、屋根を乗員上方のルーフパネル、ルーフパネル後端部から下方に垂下したリヤパネル、更にリヤパネル下方に配置したリヤサブパネルで構成する。車両の後部には、リヤパネルを支持する正面視逆Ｕ字型のタルガバーを起倒可能に備える。
これらパネルは、剛性を有する樹脂パネル材等で形成し、ルーフパネル前端部をフロントウインドスクリーンの上端部に支持し、又起立したタルガバー上端部にルーフパネル後端部を支持し、リヤパネルでタルガバー後面を覆うように構成する。
【０００４】
【発明が解決しようとする課題】
特公平３−５２３９６号に開示されている脱着式の屋根を備える軽車両においては、屋根の取り外しは、剛体からなるルーフパネルを、先ずフロントウインドスクリーンから取り外し、リヤパネルを取り外し、これ等を車両の後面に重ね合せ、その外側からリヤサブパネルでこれ等を覆い、車両後面にこれ等パネルを収納するようにしている。
【０００５】
以上の従来の軽車両においては、先ずルーフパネル、リヤパネル、リヤサブパネルが夫々剛体のパネルで構成されている。
このため、屋根を取り外す場合には、夫々の分解作業を必要とする。そして、分解したパネルを前後に束ねて、軽車両後面に取付部材を介して組み付け、収納する作業を必要とする。
従って、屋根の取り外す際の作業性が悪く、又屋根の組付作業性も悪いこと等の不具合があり、屋根の取り外し、組み付けが面倒、煩雑である、という不都合がある。
【０００６】
次に、ルーフパネルをはじめとして、屋根構成部品が全て剛体なので、各部品を折り畳むことができない。このため、屋根を取り外した場合に、小型の軽車両内に収納スペースを確保することが困難である。このため、車両の後面に前後に重ねて収納せざるを得ない。
これによると、収納した屋根構成部品の外形が大きくなり、又軽車両の後面に突出し、軽車両の前後方向の寸法が大きくなる虞がある。又外観性の点においても、軽車両の後面に収納された屋根構成部材が突出し、体裁が悪く、外観性を損ねる等の不都合がある。
【０００７】
更に屋根を組み付けた状態において、屋根構成部品が、前記したように剛体のパネルで構成されるので、重量が大きくなる傾向にある。又パネル材の組み合わせ構造なので、全体として無骨な感じは否めず、外観性の点においても軽快な感じを受けることがなく、重く、重苦しい感じとなり、軽快な外観が好ましい軽車両としては最適とは言い難い。
【０００８】
本発明者は、屋根付き軽車両の以上の課題に鑑み、本発明をなしたものである。
本発明の目的とする処は、先ず、ワンタッチに近い簡易な操作で折り畳みによる屋根の脱着を可能とし、且つ屋根を折り畳んでその外形を可及的に小型化し、ピラー部材を含む全体を、座席下方の収納ボックス内に収納可能とした屋根付き軽車両を提供することにある。
【０００９】
又本発明の他の目的とする処は、軽車両の折り畳みによる脱着式屋根の構造を簡素化し、屋根の折り畳み操作を迅速、容易に行ない得るようにして操作性を著しく向上することができる。更に、屋根を組み付けた状態での屋根の保持、折り畳んだ状態での屋根構成部材の保持を確実に行なわせ、しかも折り畳んだ屋根自身を、幅を含んで可及的に小型化し、小容量の収納ボックスへの折り畳んだ屋根の収納を容易に可能とし、併せて、収納ボックス本来の目的であるヘルメット等の同時の収納を可能とする屋根付き軽車両をも提供することにある。
【００１０】
更に又、屋根を組み付けた状態において、外観性が良好であり、屋根、これの関連部材も軽量であり、全体として軽車両に好ましい軽量で、屋根はソフトな感じを与えることができ、全体として軽快な感を呈する折り畳み構造の屋根を有する軽車両を得ることが可能であり、又屋根収納時の形態においても、軽車両の外観性を損ねることがなく、デザイン上も優れた屋根付き軽車両をも提供することにある。
【００１１】
又本発明は、屋根の小型化を、その全長とともにその幅をも小型化し、更には屋根前端部の姿勢を自由として収納を容易化し、且つこの部分の小型化を図り、屋根の収納を効果的に行わせることができるようにした屋根前端部の取り付け構造を含む屋根付き軽車両を提供するをも目的とする。
【００１２】
更に本発明は、屋根の後端部を支持するリヤピラー部材の折り畳み操作を迅速に行うことができ、且つその操作を著しく容易化し、屋根を起立状態で保持するピラーを、収納ボックス内に収納可能な程度に小型化すべく上下に分割し、簡単な操作で、確実にリヤピラー部材を折り畳み、又起立、折り畳み状態で確実にロックし、ロックの解除操作が容易であるリヤピラー部材の折り畳み、ロック機構を含む屋根付き軽車両をも提供することにある。
【００１３】
【課題を解決するための手段】
上記課題を解決するための手段として請求項１は車両の前部に設けたフロントウインドスクリーンと、車両の後部に設けたリヤピラーとの間に屋根を設けた軽車両において、屋根を、左右の線状の芯材と、該芯材間に架設され、折り畳み可能な布状部材とで構成し、リヤピラーは、中空部材からなる上部ピラーと、該上部ピラーを折り畳み可能に支持する下部ピラーとからなり、前記芯材を前記上部ピラー内に収納可能とし、上部ピラーは、下部ピラーに対して前下方に折り畳まれ、該上部ピラーは折り畳まれた屋根を付けた状態で軽車両のシート下方の収納ボックス内に収納するようにしたことを特徴とする。
【００１４】
請求項１では、布状部材を芯材に沿って摺動させることで前後方向に伸張させて展開したり、或いは折り畳むことができる。又布状部材を折り畳んだ後の残余の芯材は、リヤピラーの上部ピラー内を摺動させて収納することができる。
【００１５】
請求項２は、請求項１において、屋根の布状部材の前端部を芯材に固定し、布状部材のその余の部分を芯材に対し摺動可能に支持し、後端部を上部ピラーに着脱自在に係止した。
【００１６】
請求項２では、布状部材の後端部をリヤピラーの上部ピラーから取り外すことで、該布状部材は芯材に沿って前端部方向に折り畳むことができる。布状部材の前端部の芯材前端部への折り畳みで、芯材のその余の部分は裸となり、リヤピラーの上部ピラー内に容易に摺動させて収納することができる。芯材の上部ピラー内への収納で、上部ピラー先端部には布状部材の折り畳まれた部分が臨み、芯材、布状部材からなる屋根は外形が可及的に小型する。
【００１７】
請求項３は、下部ピラーには上部ピラーの起立状態をロックするロック機構を設けた。
【００１８】
請求項３においては、上部ピラーは下部ピラーに設けたロック機構で起立状態をロックされるので、屋根を組み付けた状態で、ピラーの保持が確実に行なえつつ、ピラーを折り畳んで、ピラーの全長を短くし、屋根を含むピラーが、収納ボックス内等に収納可能となる。
【００１９】
請求項４は、請求項１又は請求項２において、前記シートは前端部をヒンジとして揺動可能に支持され、かつ収納ボックスを上から塞ぐように配置され、収納ボックスには、屋根を付けた上部ピラーとともにヘルメットを収納可能としたことを特徴とする。
請求項４においては、軽車両の制約のある小さなスペースのシート下方に設ける収納ボックス内に屋根を付けた上部ピラーとヘルメットとを同時に収納することが可能となる。
【００２０】
請求項５は、請求項１、又は請求項２において、屋根の布状部材の前部には、該布状部材前端部を保持する保持部材を車幅方向に備え、該保持部材は車幅方向に伸縮自在に構成した。
【００２１】
請求項５においては、布状部材前端部の保持部材は車幅方向に伸縮自在なので、屋根を用いない場合には、その幅を縮小することができ、幅を小さくして折り畳んで屋根の小型化を図ることができる。
【００２２】
請求項６は、請求項５において、屋根の布状部材前端部を保持する保持部材には、ウインドスクリーン取付部材を設け、該取付部材を布状部材を保持する芯材に対してヒンジ結合した。
【００２３】
請求項６においては、芯材の先端部で布状部材の保持部材が揺動可能となり、収納ボックスに折り畳んだ布状部材を収納する際、保持部材を収納ボックスの底と平行にすることができる。
【００２４】
請求項７は、請求項３において、下部ピラーは、車体側に基端部を軸支したアーム部材を備え、該アーム部材の先端部には上部ピラーの下端部を軸支し、且つ該アーム部材には、上部ピラーの軸部と係脱自在なロックバーを該アームの長さ方向に設け、該ロックバーを、前記アーム部材に回動軸を介して軸支した揺動ロック部材に連結し、該揺動ロック部材の係合部を、車体側に固定設置した固定ロック部材の係合部に係脱するように構成し、揺動ロック部材の回動軸を操作レバーで回動操作するように構成した。
【００２５】
請求項７においては、操作レバーの操作で、揺動ロック部材を固定ロック部材から解除し、又揺動ロック部材の揺動でロックバーと上部ピラーの軸部とのロックを解除し、上部ピラーの下部ピラーに対するロックを解除することができる。一つの操作レバーの操作で、下部ピラーのロック解除と上部ピラーの解除とを同時に行うことができる。
【００２６】
請求項８は、請求項７において、揺動ロック部材の係合部は爪部であり、固定ロック部材の係合部は２個の欠部であり、揺動ロック部材の揺動で、下部ピラーは、起立位置、倒れ位置の夫々で、２個の欠部の夫々に、選択的に係合するように構成した。
【００２７】
請求項８においては、爪と欠部の係合なので、ロック位置での保持が確実になされ、又下部ピラーの起立位置、倒れ位置での保持が確実になされる。
（従って、屋根の展開、使用状態での保持、収納状態における保持の夫々を確実に行える。又爪が揺動し、欠部が固定なので、ロック、アンロック作動が確実になされ、且つ構造も簡素である。）
【００２８】
【発明の実施の形態】
本発明の実施の形態を添付図に基づいて以下に説明する。なお、図面は符号の向きに見るものとする。
先ず図面を説明すると、図１は本発明にかかる屋根付き軽車両の外観側面図で、屋根を使用した状態の図、図２は屋根の拡大平面図で、一部を破断した図、図３は屋根の拡大側面図で、一部を破断した図、図４は図３の４−４線拡大断面図、図５は図３の５−５線拡大断面図、屋根前端部の保持部材の正面図で、半分を破断した図、図６は屋根前端部の保持部材の正面図で、半分を破断した図、図７は保持部材の要部を拡大した破断正面図、図８は図７の８−８線断面図、図９は図７の９−９線断面図、図１０は図７の１０−１０線断面図、図１１は保持部材の分解斜視図、図１２は屋根後端部とリヤピラーとの係合構造を示す要部の拡大縦断面図、図１３は屋根後端部をリヤピラーから取り外した状態を示す図１２と同様の縦断面図である。
リヤピラーのロック機構の図面、作動説明図は、後述する。
【００２９】
図１は本発明を適用した軽車両１（以下に車両と記す）の外観側面図を示し、実施の形態はスクーターである。車両１は、フレーム２の周り覆い、車両の外観を構成するボディカバー３を備え、前部に操向輪を構成する前輪４をハンドル５で操向自在に備え、又後部にはユニットスイング式のパワーユニット７を配設し、該パワーユニット７の後端部には、駆動輪を構成する後輪６を備える。
又前輪４上にはフロントカバー８を、又該フロントカバー８の上端部左右にはサイドミラー９を配設する。
【００３０】
又車両１の中間部には乗員座乗用のシート１０備え、シート１０の下方はリヤカバー１１で周囲を囲み、リヤカバー１１内には、上方に開放した収納ボックス１２を埋装するように設ける。
シート１０は、その前端部をヒンジとして前上傾することが可能に構成し、シート１０は、リヤカバー１１の収納ボックス１２上に配置され、シート１１を前端部をヒンジとして起倒することにより、収納ボックス１２を開閉するように構成する。
【００３１】
以上の車両１の前部には、フロントカバー８上に突出するようにフロントウインドスクリーン１３（以下ウインドスクリーンと記す）を配設し、ウインドスクリーン１３は上端部が車両の後方を向くように後上傾して設ける。
ウインドスクリーン１３は、後述するようにリヤピラー４０の折り畳み動に連動して図１の上端部位置から下方に降下動するように構成する。
以上のウインドスクリーン１３の頂部と後部のリヤピラー４０との間に、屋根２０を設ける。
【００３２】
屋根２０の詳細は図２〜図６に示す如くで、図は屋根２０を展開し、屋根を使用状態とした状態を示し、先ず、屋根２０を展開した状態で説明する。
屋根２０は、撓曲性を有し、防水性を有する布状部材２１と、前後方向に延びる左右の芯材２５，２５とからなる。芯材２５，２５は、例えば、ピアノ線の如き撓曲性を有し、復元性、弾性を有する線材で形成する。
【００３３】
布状部材２１の両端部２１ａ，２１ａには、前後方向に所定間隔を開けて適所に短い管体２２…（…は複数を表す。以下同じ）を縫着等して備える。該管体２２…を、図４に示すように、左右の芯材２５，２５に摺動自在に嵌合する。これにより、布状部材２１は、左右の芯材２５，２５間に張られることとなる。
又布状部材２１の前後方向中間部左右には、前後方向に所定間隔を開けて管体２３…を縫着等して固着する。該管体２３…を左右の芯材２５，２５に摺動自在に嵌合する。
【００３４】
左右の芯材２５，２５に摺動自在に嵌合した管体２３…の左右一対のもの間に、ピアノ線等からなる補強線材２６…を横架する。補強線材２６…は布状部材２１の下面に配置し、布状部材２１を保形する。補強線材２６…は図２で示したように、実施の形態では前後方向に離間して３本設けた。
尚、図４、図５に示すように、布状部材２１の両端部２１ａには、補強フラップ２４を垂れ下がるように設け、芯材２５，２５、及び管体２２…，２３…が側方から見えないように構成した。
【００３５】
以上により、所謂ソフトトップと称される屋根２０を構成し、ウインドスクリーン１３の頂部から後方のリヤピラー４０との間に屋根２０が延設され、ソフトな感じで、外観性に優れた屋根を軽車両に設けることができる。
【００３６】
次に屋根２０の前端部の保持構造を説明する。図６〜図１１は保持構造を示し、図１１は理解の便宜のため、分解斜視図として示し、説明の便宜上布状部材を外して示した。
保持部材３０は、図９〜図１１で明示したように、断面が略々Ｃ型の横長の基板３１と、左右の側板３２，３２とからなる。
基板３１の上下には、後方に向き、且つ対向するように下部のものは上向きに、上部のものは下向きに開放する上下の溝３１ａ，３１ａを備える。又基板３１の左右方向の中間部裏面には、補強板３１ｂ，３１ｂを裏当てして備える。
【００３７】
左右の側板３２，３２は、左右で対称形状をなし、横長の前面部３２ａ、及び外端部から後方に屈曲した前後に短い側面部３２ｂを備え、平面視が略々Ｌ型類似の形状をなす。
各前面部３２ａの内端部寄り部分には、上下に離間して端部に欠部３２ｃを有する横長凹部３２ｄ，３２ｄを、又この間には左右方向への長孔３２ｅを設ける。更に各前面部３２ａの外端部寄り部分には、下半部に左右に離間して皿状の取付孔３２ｆ，３２ｇを、又上部には、左右方向の長孔３２ｈを設け、これ等は左右対称形状の各保持板３２，３２に対称的に設ける。
【００３８】
以上の保持板３２，３２は、基板３１の裏面に配置し、各内端部側から、これの上下端部を上下の溝３１ａ，３１ａ係合し、保持板３２，３２を基板３１の裏面において、左右方向に摺動自在に係合する。
そして、左右の保持板３２，３２に対称的に配置した左右に離間した欠部３２ｃ，３２ｃ間に、引張、付勢部材、例えばゴムベルト３３，３３の両端部を係止する。該ゴムベルト３３，３３の弾性力で、基板３１裏面に係合した左右の保持板３２，３２を、互いに相い寄る方向に引張、弾圧する。
【００３９】
前記した基板３１に設けた補強板３１ｂ，３１ｂには、裏面からビス３４，３４を通し、ビス３４，３４の先端部を保持板３２，３２に設けた前記長孔３２ｈ，３２ｈに係合し、保持板３２，３２の基板３１に対する摺動を保障する。
一方、前記した左右の芯材２５，２５の先端部には、互いに向い合うように内側に略々９０°屈曲した屈曲先端部２５ａ，２５ａを夫々設け、該各屈曲先端部２５ａ，２５ａに、ヒンジ部材２７，２７を回動自在に取り付ける。
【００４０】
各ヒンジ部材２７は、蝶番の一方の片の如き構造で、上端部の筒状部２７ａ，２７ａを各芯材の屈曲先端部２５ａに嵌合し、回動自在に止着する。ヒンジ部材２７の平板部２７ｂの各外側寄り部には取付孔２７ｄを設け、又内側寄り部には鋲２７ｃを突設する。
以上の左右のヒンジ部材２７，２７の平板部２７ｂを、前記した左右の保持板３２，３２の裏面に当てがい、鋲２７ｃを取付孔３２ｇに通し、カシメ付けて固定し、この状態を図９で示した。
【００４１】
ところで、ヒンジ部材２７の上端部の筒状部２７ａ，２７ａは、ヒンジ部材２７，２７を保持板３２に取り付けた状態で、図８に明確に示すように該保持板３２の上部に設けた長孔３２ｈ内に収容され、筒状部２７ａ，２７ａと保持板３２との干渉を回避する。
各保持板３２の、前記した各取付孔３２ｆの正面側から、平ビス３５を通し、平ビス３５の先端部３５ａを、ヒンジ部材２７の平板部２７ｂ裏側に突出するように通す。
【００４２】
該先端部３５ａにナット部材３６を螺合し、前記鋲２７ｃとともにヒンジ部材２７の平板部２７ｂを保持板３２に固着する。一方、ナット部材３６に後端部には図８で示したように、係止フック３７の後端部を軸３７ａで軸支する。
ナット部材３６の後端部を二股状に形成し、これに係止フック３７の先端部３７ｂを挟み込んで軸３７ａで軸支し、係止フック３７は軸３７ａを支点として揺動自在に構成する。
【００４３】
一方、前記ウインドスクリーン１３の上端部寄り部分で、左右両端部寄り部分には、比較的大径の係止孔１４，１４を設ける。又、ウインドスクリーン１３の面と直角の方向に係止フック３７を配置する。該ウインドスクリーン１３の係止孔１４，１４に、該各係止フック３７を通し、ウインドスクリーン１３の裏面に突出した係止フック３７を下方に屈曲、回動させ、保持板３２，３２をウインドスクリーン１３に係合、固定する。
この状態を図８で示した。これにより、保持板３２，３２、基板３１、左右の芯材２５，２５を含む保持部材３０の全体は、ウインドスクリーン１３に上端部に係合されて、固定されることとなる。
【００４４】
図８において、係止フック３７の実線で示した倒した状態においては、係止フック３７がウインドスクリーン１３の係止孔１４裏面周辺部に当たり、係止孔１４からの抜け出しを阻止する。
一方、係止フック３７を矢印▲１▼の方向に回動させることで、想像線で３７Ａで示すように係止フック３７は係止孔１４と一致するようになる。
従って、保持板３２を含む保持部材３０を、図８の左方向に移動させることで、係止孔１４から係止フック３７を抜出すことができる。
即ち、保持部材３０をウインドスクリーン１３から取り外すことができる。
【００４５】
尚、図１０に示すように、基板３１に設けた補強板３１ｂの裏面から通したビス３４，３４は、その裏面側の頭部３４ａが、ウインドスクリーン１３の前記係止孔１４，１４間に設けた孔１３ａ，１３ａに収容され、保持板３２のウインドスクリーン１３表面への密着を保障する。
以上の保持部材３０の前面を構成する左右の保持板３２，３２、及び基板３１の前面に、前記した布状部材２１の前端部２１ｂを貼着する。又左右の補強フラップ２４の前端部は、左右の保持板３２，３２の各外側の側面部３２ｂ表面に貼着する。
【００４６】
ところで、保持部材３０を係止フック３７を図８の想像線３７Ａのように伸ばし、ウインドスクリーン１３の係止孔１４から係止フック３７を抜出すことで、屋根２０の前端部である保持部材３０は、ウインドスクリーン１３から取り外すことができる。
この際、保持部材３０は、左右方向の中間部の基板３１に対して摺動自在に係合された保持板３２，３２は、前記したようにゴムベルト３３，３３で相寄る方向に引張、弾圧されている。
【００４７】
このため、保持板３２，３２のウインドスクリーン１３に対する拘束の解除で、基板３１の係合状態のまま、ゴムベルト３３，３３の引張、弾圧作用で相寄る方向に摺動し、保持部材３０全体の左右方向の長さが小さくなる。
この際、布状部材２１は前記したように可撓性を有するので、幅方向に折り畳まれる。
又、左右の芯材２５，２５間に架設された補強線材２６…は、ピアノ線の如く撓曲性、弾性を有するので、布状部材２１の折り畳みに追従して復元可能に変形する。
【００４８】
従って、ウインドスクリーン１３から屋根２０前端部の保持部材３０を取り外すことで、自動的に保持部材３０は、布状部材２１、芯材２５，２５、補強線材２６…を含んで幅が小さくなるように変形し、収納ボックス１２内への収納し得るようにその幅を縮小する。
又保持部材３０は、これの左右の部分を構成する保持板３２，３２を介して、芯材２５，２５の前端部にヒンジ部材２７，２７で回動自在に軸支されており、従って、ウインドスクリーン１３から保持部材３０を取り外した状態においては、芯材２５，２５の屈曲先端部２５ａ，２５ａを支点として回動させることができる。
このため、保持部材３０は、芯材２５，２５の延長方向に対して直角に配置させる等、自由にその姿勢を変更することができる。
【００４９】
従って、屋根２０を収納ボックス１２内に収納する際、屋根２０の前端部である保持部材３０を、収納ボックス１２の底面１２ａと平行にして収納することができる。これを図２７、図２８で示し、これについては後述する。
【００５０】
次に屋根２０の後端部の支持構造を説明する。
フレーム２の後上傾した後部２ａに、リヤピラー４０の基台１５を起立するように設け、基台１５上に支持枠１６を延出し、支持枠１６上に図１４〜図１７で示したリヤピラー４０の下部ピラー４６を起倒自在、且つ起立位置、倒れ位置をロックするロック機構を介して設置する。
リヤピラー４０を支持する基台１５、及び支持枠１６の上端部を除く部分は、リヤカバー１１の後部で覆われ、リヤピラー４０はリヤカバー１１の後部上に上方に起立する。
【００５１】
屋根２０の後端部には、前端部の保持部材３０と同様に左右方向に幅を有する後端板２８を設ける。具体的は、布状部材２１の後端部に左右方向の板状芯材２８ａを配置し、これを布状部材２１の後端部２１ｃで抱持し、後端板２８を設けた。
後端板２８は、図１２に示すように前上傾するように配置されており、内面（車両前方の面）の左右に、側面Ｕ型の凹状フック２９をビス２９ａで固着する。
【００５２】
リヤピラー４０の上部ピラー４１は左右一対備える。図２に示すように平面視が左右対称のＬ型をなすように、中空パイプ材を屈曲して形成する。
上部ピラー４１，４１の下部４１ａは、対称的に内側に屈曲し、下部４１ａから上方に上部ピラー４１は起立し、上方に所定長さを有し、図１、図３に示すように、前上方に弯曲して形成されている。
【００５３】
以上のリヤピラー４０の上部ピラー４１，４１の上端部の外周上側には、前記凹状フック２９と係脱自在に係合する爪片４２，４２を夫々設ける。
又中空の上部ピラー４１，４１の先端には、摩擦係数が小さい樹脂等で形成した筒状ガイド４３を同心にビス４３ａ等で固着する。前述の左右の芯材２５，２５の各後端部２５ｂを、筒状ガイド４３介して、中空の上部ピラー４１内に摺動自在に挿入する。
芯材２５の後端部２５ｂにはバネ受け４４を固定する。バネ受け４４と筒状ガイド４３の上部ピラー４１上端部内の下端部４３ｂとの間には、芯材後端部２５ｂ周を囲むようにコイルバネ４５を巻装する。
【００５４】
以上において、図１３に示すように屋根２０の後端部の後端板２８を後方に抜出し、これにより上部ピラー４１の上端部の爪片４２から後端板２８の凹状フック２９は抜け出す。
これにより、図１３のように屋根２０の後端部は、上部リヤピラー４１から外れて自由となる。
この状態で、屋根２０を折り畳むべく、後端板２８を掴んで屋根２０を前方に移動させると、屋根２０は可撓性を有する布状部材２１で構成されているので、前方に折り畳まれる。布状部材２１の折り畳みは、左右の芯材２５，２５と布状部材２１の管体２２…との摺動で円滑になされる。
【００５５】
又左右の芯材２５，２５間に架設した補強線材２６…は、管体２３…の芯材に対する摺動で布状部材２１と一緒に折り畳み方向に移動し、一緒に折り畳まれることとなる。
折り畳まれた布状部材２１は、先端部の保持部材３０と重なるように縮小、折り畳まれ、芯材２５の前端部に折り畳まれて集合する。この状態は図２３に示す如くである。又前記したように屋根２０は折り畳んだ状態で左右方向の幅が小さくなる。
この結果、芯材２５，２５は、先端部の折り畳んだ布状部材２１を除いた大半が線状材として図２３に示すように露出し、爾後、先端部の保持部材３０を掴んだりして芯材２５，２５を後方に押圧する。
【００５６】
これにより、芯材２５，２５は、上部ピラー４１，４１が中空なので、該ピラー４１，４１内に摺動しつつ収納される。
芯材２５，２５の収納、摺動は、筒状ガイド４３で円滑になされ、又バネ４５の弾圧力で、芯材２５，２５の挿入の初期の押し込み力を得、芯材２５，２５の該ピラー４１，４１内への挿入は円滑に、容易になされる。
【００５７】
上部ピラー４１，４１への芯材２５，２５の挿入は、前端部の保持部材３０、布状部材２１の折り畳んだ厚さ、後端板２８を除いた部分でなされ、後端板２８が上部ピラー４１，４１の先端部である筒状ガイド４３の先端部に当接した状態で終了する。
この状態は図２４に示す如くで、上部ピラー４１，４１の先端部間に屋根２０は折り畳まれた状態で配置される。
【００５８】
次に、リヤピラー４０の下部ピラー４６の構造、及び下部ピラー４６の起倒、ロック、ロック解除操作機構、並びに、下部ピラー４６に対する上部ピラー４１の連結、保持、ロック機構を説明する。
図１４はリヤピラー４０の下部ピラー４６を詳細に説明する図で、下部ピラー４６の前面カバーを外した状態の正面図、図１５は下部ピラーの縦断側面図、図１６は図１５の１６−１６線断面図、図１７は図１５の１７−１７線断面図、図１８〜図２１は下部ピラー４６の折り畳みの作動説明図で、図１８はロック解除操作の説明図、図１９は下部ピラーを後倒しする状態の説明図、図２０は下部ピラーを後倒し位置でロック操作する説明図、図２１は後倒しした下部ピラーのロック状態の説明図、図２２は下部ピラーの後倒し位置におけるロック状態の縦断面図である。
【００５９】
図１４において、４７は、前後方向の幅が小さく、薄い箱状をなす本体であり、下部ピラー４６を構成する。
本体４７は、後面板４８と、これの前面を覆う前面カバー４９とからなり、図１４に示すように正面視は縦長矩形で、その内部には、左右にアーム部材（以下にアームと記す）５０，５０を一体的に縦設、内装する。
アーム５０，５０を含む本体４７は、車体側に設けた後述する支軸５４を支点として揺動自在である。
【００６０】
内装された左右の上記のアーム５０，５０の上端部５０ａ，５０ａ間には、支持パイプ５１を横架、固着する。
該支持パイプ５１内に、上部ピラー４１，４１を支持する支軸５２を回動可能に嵌挿する。
該支軸５２の両端部５２ａ，５２ａを、支持パイプ５１の両端部から突出させ、前記した上部ピラー４１，４１の屈曲した下部４１ａ，４１ａを嵌合して固定する。
下部ピラー４１，４１は、支軸５２と一体に支持パイプ５１に対して回動可能である。
【００６１】
支持パイプ５１内に臨む支軸５２の外周には、図１５に明示したように、円周方向に所定角度で溝５２ｂを設け、且つ図１５の溝端部には、径方向への係止孔５２ｃを設ける。
一方、前記した車両１のフレーム２の後部２ａ上に起設した基台１５上に設けた支持枠１６の先端部には、図１５、図１６に示すように左右に離間したスティ１６ａ，１６ａを備える。
【００６２】
スティ１６ａ，１６ａに、図１４、図１７で示す図１５、図１６、図１７で示すように左右の離間した支持スティ１７，１７を連結する。
該支持スティ１７，１７の外側に、正面視凹型のブラケット５３の起立した側片部５３ａ，５３ａを臨ませ、該側片部５３ａ，５３ａの外側に、前記したアーム５０，５０の下端部５０ｂ，５０ｂを配置し、アーム５０，５０とブラケット５３とを一体的に回動するように構成する。
【００６３】
ブラケット５３の左右の側片５３ａ，５３ａの外側間に、前記したアーム５０，５０の下部５０ｂ，５０ｂを臨ませ、側片５３ａ，５３ａ、アーム５０，５０の下端部間に支軸５４を架設する。該支軸５４を支点として、前記アーム５０，５０を含む下部ピラー４６全体を、回動自在に支承する。
又支軸５４周で、アーム５０，５０の内側には、該支軸５４と直角の方向に広がるロックピース５５を、左右に固設する。
かかるロックピース５５で固定ロック部材を構成する。
該ロックピース５５には、後下傾する第１のロック用の欠部５５ａを、又前下傾する第２のロック用の欠部５５ｂを設ける。
【００６４】
又アーム５０，５０の下部で、前記支軸５４の上方であって、後方位置には支軸５６を架設する。該支軸５６には、図１５に示すように、図では略々逆Ｃ型のロック爪５７の屈曲中点部分を固着する。
かかるロック爪５７で、揺動ロック部材を構成する。
ロック爪５７の先端部には、逆Ｌ型の爪部５７ａを備え、図１５の下部ピラー４６が図の起立状態にあっては、ロックピース５５の第１の欠部５５ａに係合し、ロックピース５５が固定であることから、該ロック位置、即ち、下部ピラー４６の起立位置をロックして保持する。
【００６５】
前記した左右のアーム５０，５０の内側には、左右に離間したロックバー５８，５８を平行に縦設する。一方、前記した各アーム５０の上端部間に架設した支持パイプ５１の左右の下面には、縦通孔５１ａ，５１ａを設ける。左右のロックバー５８の先端部５８ａを、支持パイプ５１の各縦通孔５１ａに下方から嵌合する。各縦通孔５１ａの下面には、ガイド５１ｂを夫々設けた。
以上の左右のロックバー５８の先端部５８ａは、縦通孔５１ａを下から通って内装した支軸５２の溝５２ｂを通り、径方向へ設けた前記の係止孔５２ｃに係合する。
ロックバー５８の先端部５８ａの支軸５２の係止孔５２ｃへの係脱で、上部ピラー４１のロック機構を構成する。
【００６６】
ロックバー５８，５８は、その先端部５８ａを、支軸５２の係止孔５２ｃに係合することで、支軸５３の回動を規制するストッパーとして機能する。支軸５２は回動し得ないことから、これの両端部に連結された上部ピラーー４１，４１の回動は、ロックされて規制されることとなる。従って、図１のように上部ピラー４１，４１は、下部ピラー４６上に起立した状態を、ロック状態で保持されることとなる。
従って、屋根２０を展開して張った状態で保持することが可能となる。
【００６７】
又ロック爪５７の基端部５７ｂには、回動軸受け５７ｃを設る。該回動軸受け５７ｃを介して、ロックバー５８下部を、軸方向動（図１５では上下方向）に摺動自在に支承する。
ロックバー５８の中間部には、バネ受け５８ｂを設け、軸受け５７ｃとの間にコイルバネ５９を巻装する。ロックバー５８の下端部５８ｃは、ロック爪５７の基端部５７ｂに設けた回動軸受け５７ｃの下方に延出させ、下端部５８ｃにストッパー５７ｄを設け、ストッパー５７ｄは図ではアジャストネジとし、ストッパー位置を調節可能に構成した。
【００６８】
ロック爪５７を回動自在に支承する支軸５６の一端部、図１４、図１６では右側の端部に操作レバー６０の基端部を同軸に連結、固着する。
操作レバー６０は、本体４７の一側部から外側方に突出し、図１４で、又図１５で想像線で示すように本体４７の一側外方にあって上方に延び、上端部には内側に弯曲した把持部６０ａを備える。
【００６９】
操作レバー６０の基部６０ｂは、支軸５６の一端部に設けた筒状継手部５６ａに嵌合して接合され、操作レバー６０の揺動操作で、支軸５６は回動する。
又ロック爪５７の支軸５６よりも回動軸受け５７ｃに寄った部位には、コイルバネ等で構成した復帰バネ６１の一端部６１ａを係止する。該コイルバネ６１の他端部６１ｂを、アーム５０，５０の長さ方向中間部に設けた係止ピン６２に係止する。
尚図１４、図１５において６３は、アーム５０，５０間に架設した補強杆である。
【００７０】
次に下部ピラー４６の格納に伴う折り畳み作動を説明する。
図１４、図１５は、何れも下部ピラー４６が起立状態にあり、又上部ピラー４１も起立状態にあって、図１に示すように屋根２０を展開し、張った状態にある。
下部ピラー４６の格納に伴う折り畳みに際し、これに先たち、先ず、屋根２０の後端板２８を、左右の上部ピラー４１，４１から取り外し、屋根２０を構成する布状部材２１を、図２３の矢印▲２▼で示すように芯材２５，２５に案内させて前方に移動させ、屋根を折り畳む。
【００７１】
屋根２０は芯材２５，２５の先端部に折り畳まれて位置し、前後方向の長さが大きく縮小する。
次に、屋根２０の前端部の保持部材３０を、ウインドスクリーン１３から取り外し、次に前端部の保持部材３０を掴んで後方に押圧する。これにより、図２４の矢印▲３▼に示すように、芯材２５，２５は、上部ピラー４１，４１内に挿入されることとなり、最終的には、折り畳んで前後方向長が短くなった屋根２０、及び前端部の保持部材３０は、上部ピラー４１，４１の先端部間に、架設状態で臨むこととなる。
【００７２】
ところで、車両１のシート１０は、図２３、図２４に示すように、シート１０のロックを解除しておき、前端部をヒンジとして前方に起立、揺動させ、、屋根２０の収納を行なわせるべく収納ボックス１２を開放しておく。
次に上下のピラー４１，４６の折り畳み作動を、図１８〜図２１を参照して説明する。又操作手順を図２５で説明する。
【００７３】
先ず、図１８、図２５に示すように、操作レバー６０を矢印▲４▼の方向（図１８の左方向、車両の前方向）に揺動する。
これにより支軸５６は回動し、支軸５６に固着されたロック爪５７は、該支軸５６を支点とし、図１８中において反時計方向に回動する。
操作レバー６０の揺動はバネ６１に抗してなされる。
【００７４】
ロック爪５７の回動で、図１９に示すように、先端部の爪部５７ａは、ロックピース５５の第１の欠部５５ａから外れる。又ロック爪５７の基端部５７ｂは下がる方向に移動し、これに連結されたロックバー５８をバネ５９に抗して引き下げる。
この結果、支軸５２の係止孔５２ｃから、ロックバー５８の先端部５８ａを引き抜き、上端部の支軸５２は、下部ピラー４６上端部に設けた支持パイプ５１内において回動が許容される状態となる。
【００７５】
即ち、ロックバー５８の下降により、支軸５２、従って上部ピラー４１はロックが解除された状態となり、支軸５２の両端部に、下部４１ａ，４１ａを連結した上部ピラー４１，４１は、下部ピラー４６に対しロックが解除され、上部ピラー４１を、図１９の矢印▲５▼の方向、図２５の矢印▲５▼の方向に回動させることができることとなる。
【００７６】
従って、折り畳んだ屋根２０を先端部に臨ませた上部ピラー４１は、収納ボックス１２の方向に折り畳む操作を行うことができる。
又、ロック爪５７の爪部５７ａが、固定側のロックピース５５の第１の欠部５５ａから外れることで、下部ピラー４６全体は自ロック解除状態となって、自由となり、下部ピラー４６を図１９、図２５の矢印▲６▼で示す時計方向に、下端部の支軸５４を中心として回動可能となる。
【００７７】
これにより、上部ピラー４６を後方に倒す折り畳み動を行い、上部ピラー４６を図２０、図２６に示すように後方に倒して折り畳み、一方、上部ピラー４１は前記したように下部ピラー４６に対してロックが解除された状態にあるので、前倒し作動させることができる。
図２６に示すように、下部ピラー４６の左右に配置した上部ピラー４１，４１は、後方に略々水平に倒した下部ピラー４６に対し、前方に倒して折り畳み、且つ下部ピラー４６のレベルよりも下方まで倒すことができ、上部ピラー４１，４１の先端部に位置する折り畳んだ屋根２０を、収納ボックス１２内に臨ませることができる。
【００７８】
下部ピラー４６が後方に倒れ、上部ピラー４１が前倒しするように倒れた、折り畳まれる状態を図２１で示し、ロック爪５７の爪部５７ａは、ロックピース５５の第２の欠部５５ｂの下方に臨む。
爾後、ロック爪５７の爪部５７ａはロックピース５５の第２の欠部５５ｂに係合し、この状態を図２１で示した。これにより、下部ピラー４６は、後方に倒れて折り畳んだ状態でロックされることとなる。
【００７９】
尚、図２１の矢印▲８▼のように、操作レバー６０を図の略々水平位置から、上方に揺動させることで、ロック爪５７は回動し、ロックピース５５の第２の欠部５５ｂから爪部５７ａは離脱し、折り畳み、倒れ状態のロックを解除し、下部ピラー４６を起立させ、又上部ピラー４１を起立させ、屋根を展開して張ることが可能となる。
下部ピラー４６の起立、ロック、上部ピラー４１の起立、ロック、屋根の展開、張り作動は、前記した説明と逆転順となるので、前記した説明で充分に理解することができるであろう。
尚、下部ピラー４６を倒した状態を図２２で詳細に示した。
【００８０】
図２６に示すように、上部ピラー４１を前方、且つ下方に倒し、屋根２０を収納ボックス１２内に臨ませ、収納ボックス１２内の底部には、屋根収納凹部１２ａを設けておく。
収納凹部１２ａの上方に臨む屋根２０は、図示ではこれの上方にあるので、屋根２０を引き下げ、収納凹部１２ａ内に屋根２０を臨ませる。屋根２０は芯材２５が上部ピラー４１に対して挿入状態にあり、摺動自在ので、容易に引き下げが可能である。
【００８１】
図２７は、屋根２０を収納凹部１２ａ内に収納した状態を示す。
前記したように、屋根２０の前端部の保持部材３０は、ヒンジ部材２７で回動自在に芯材２５に取り付けられているので、収納凹部１２ａの底面と平行に配置することができる。従って、保持部材３０が剛性を有していても、収納凹部１２ａ内で立つようなことが無く、高さを減じることができ、高さ方向をコンパクト化し、屋根２０全体をコンパクト化して収納凹部１２ａ内に収納することができる。
爾後、内蓋１２ｂを図２７の矢印▲９▼のように後端部のヒンジを支点として前倒しし、図２７のように収納凹部１２ａを閉じる。
【００８２】
最後に、シート１０を図２６、図２７の矢印のように後方に倒し、収納ボックス１２を上から塞ぎ、屋根２０をシート１０下方の収納ボックス１２内に収納する。
ところで、シート１０の下面左右には、図示しなかったが、左右の上部ピラー４１，４１を受容する凹部をシートバック部１０ａ背部に設けておき、前倒しした上部ピラー４１，４１、及びヘルメットＨを収納ボックス１２の後部内に収容し得るようにした。
この状態を図２８で示した。
【００８３】
ところで、図示した実施の形態においては、前記のように屋根２０の折り畳み、収納に連動して、車両前面に起設したウインドスクリーン１３を、所定位置まで引き下げるように構成した。
その理由は、屋根２０を使用する状態では、前方からの雨水を避けるため、ウインドスクリーン１３の上端部は、屋根２０の高さに応じて乗員の頭部よりも若干高い方が好ましい。
しかしながら、屋根を外して走行する図２８のような状態では、ウインドスクリーン１３は目線よりも下方が好ましい。
【００８４】
図２９は、ウインドスクリーン１３の昇降機構を７０示し、ウインドスクリーン１３の下端部左右に支持部１３ｂ，１３ｂを設け、一方、車体のフロントカバー８内には基板７１を固設し、又これの左右には、ウインドスクリーン１３の両側端部１３ｃ，１３ｃをガイドするガイド部材７２，７２を縦設する。
基板７１の前面左右には、送りネジ７３，７３を縦設し、これにナット部材７４，７４を螺合し、ナット部材７４，７４を、前記したウインドスクリーン１３の下端部左右の支持部１３ｂ，１３ｂに固定する。
【００８５】
基板７１の下端部には昇降用モータ７５を固設し、これの左右の出力軸に駆動ギヤ７６，７６を固着し、該ギヤ７６，７６を前記した送りネジ７３，７３下端部に設けた被動ギヤ７７，７７に噛合する。
従って、モータ７５の駆動で、ギヤ７６，７７を介して送りネジ７３，７３は正逆に回転する。この結果、送りネジ７３，７３に螺合したナット部材７４，７４は昇降することとなり、ナット部材７４，７４に結合したウインドスクリーン１３は昇降する。
【００８６】
ウインドスクリーン１３の昇降は、以下のようになされる。
図１５において７８はマイクロスイッチの如きスイッチで構成した起動スイッチである。スイッチ７８を、アーム５０，５０の一方に固設しておき、図１５はスイッチ７８の操作子７８ａが開放状態にある。
前記に従い、上部ピラー４６を後方に倒して折り畳み作動を行うと、上部ピラー４６内に内装したスイッチ７８も、アーム５０と一体に後方に回動し、図１５のように上部ピラー４６の倒れ、ロック位置で、スイッチ７８の操作子７８ａは支軸５６に設けたカム７９に接触する。
【００８７】
この結果、スイッチ７８の操作子７８ａは押圧され、スイッチオンの状態となり、前記したモータ７５をウインドスクリーン１３を引き下げる方向に駆動させ、前記した送りネジ７３，７３の作動でウインドスクリーン１３を所定高さまで、引き下げる。
この関係を２６、図２７においても示し、下部ピラー４６を倒し、折り畳むことで、折り畳み作動と連動してウインドスクリーン１３は、図２６、図２７に矢印ａで示すように所定の高さまで下動する。
【００８８】
【発明の効果】
本発明は上記構成により次の効果を発揮する。
請求項１は、軽車両において、フロントウインドスクリーンと、リヤピラーの中空部材からなる上部ピラーとの間に屋根を設け、屋根を、左右の線状の芯材と、芯材間に架設された折り畳み可能な布状部材とで構成し、芯材を上部ピラー内に収納可能としたので、屋根を構成する布状部材を、芯材に沿って摺動させることで前後方向に伸張させて展開したり、或いは折り畳むことができる。布状部材を折り畳んだ後の残余の芯材を、上部ピラー内を摺動させて収納することができる。
【００８９】
従って、屋根付きの軽車両において、屋根の不使用時においては、屋根を折り畳むことができ、且つ屋根の支持部材である芯材をリヤピラーの上部ピラー内に収納するので、折り畳んだ屋根は、上部ピラー端部から折り畳んで保持することができ、屋根を軽車両の収納ボックス内に、収納可能となるように小型化して折り畳むことができる。
従って、小型の軽車両において、折り畳んで軽車両の収納ボックス内に収納可能とする折り畳み形式の屋根を得ることができる。
【００９０】
又屋根をリヤピラーの上部ピラー内に収納可能な芯材と、該芯材に対して摺動可能な布状部材で構成したので、屋根の折り畳みは芯材に布状部材を摺動させて行えるので、屋根の折り畳み操作は極めて容易であり、又屋根の引き出し、展開、張り操作も逆の手順なので、操作が極めて容易である。
【００９１】
又屋根を布状部材で構成し、屋根を展張する骨材を、リヤピラーの上部ピラー内に摺動させて収納し得る芯材、従ってピアノ線等で構成することとなるので、軽量化することができ、軽車両に最適の軽量な折り畳み形式の屋根を得ることができる。
更に屋根は、布状部材と左右の芯材とで構成するので、構造が簡易であり、コストの点においても有利である。
【００９２】
又本発明は、折り畳み形式で、不使用時には除去する形式の屋根は、ウインドスクリー
ンとリヤピラーの上部ピラーとの間に設けられ、屋根を布状部材で構成したので、所謂ソフトトップ形式の屋根を構成することとなり、重量的には極めて軽量であって、又外観性の点においても優れ、軽車両の屋根として、軽車両の外観性を損ねることなく、外観性の向上、機能性の向上が図れ、軽快な感じで、軽車両の外観性とマッチした折り畳み形式の屋根を得ることができる。
【００９３】
請求項２は、請求項１において、屋根の布状部材の前端部を芯材に固定し、布状部材の他の部分を芯材に対し摺動可能に支持し、後端部を上部ピラーに着脱自在に係止したので、布状部材の後端部を上部ピラーから取り外すことで、該布状部材を、芯材に沿って前端部方向に折り畳むことがで可能である。
【００９４】
従って、布状部材の前端部の芯材前端部方向への摺動で、布状部材は折り畳まれ、芯材のその余の部分は裸となり、上部ピラー内に容易に摺動させて収納することができる。
従って、屋根の折り畳み操作は、布状部材の後端部を上部ピラーから外し、爾後布状部材を芯材前端部方向に移動するだけで行え、屋根の折り畳み操作が極めて容易であり、パネル状の屋根を取外したりする面倒、煩雑な操作を一切必要とすることが無い。
【００９５】
又芯材の上部ピラー内への収納で、上部ピラー先端部には、布状部材の折り畳まれた部分が臨むだけとなる。この結果、芯材、布状部材からなる屋根は、その外形、特に前後方向長が極めて小さくなり、外形が大幅に小型化し、軽車両の収納ボックス内への収納を、容易に実現可能とすることができる。
【００９６】
請求項３は、請求項１、又は請求項２において、下部ピラーには上部ピラーの起立状態をロックするロック機構を設けたので、上部ピラーは下部ピラーに設けたロック機構で起立状態をロックすることができる。
【００９７】
従って、軽車両において、折り畳み形式の屋根を展開し、組み付けた状態で、ピラーの起立保持を確実に行うことができるとともに、上部ピラーを折り畳んで、ピラー全体の全長を短くすることができる。
従って、屋根を折り畳み、屋根後端部を支持する屋根を含むピラーを、収納ボックス内等に容易に収納可能とすることができる。
【００９８】
請求項４は、請求項１、又は請求項２において、シートは前端部をヒンジとして揺動可能に支持され、かつ収納ボックスを上から塞ぐように配置され、収納ボックスには、屋根を付けた上部ピラーとともにヘルメットを収納可能としたので、スペース的に制約の大きい軽車両のシート下方に設ける小さなスペースの収納ボックス内に、容易に収納可能な程度にピラーを含む屋根及びヘルメットに大幅に小型化することができる。
【００９９】
又上部ピラーを下部ピラーに対して前下方に折り畳み可能なので、上下方向に長い、従って折り畳んだ状態で前後方向の長さを有する上部ピラーは、折り畳んだ状態で軽車両後方に突出することが無く、屋根の後部保持部材としての上部ピラーを折り畳んでも、軽車両の全体の長さが大きくなることが無く、軽車両の前後寸法内で折り畳んだピラーを収めることができる。
【０１００】
請求項５は、請求項１、又は請求項２において、布状部材の前部に布状部材前端部保持用の保持部材を車幅方向に設け、保持部材を車幅方向に伸縮自在に構成したので、布状部材前端部の保持部材は、車幅方向に伸縮自在となり、屋根を取外した状態で、屋根を用いない場合には、屋根前端部の幅を縮小することができる。
【０１０１】
屋根は布状部材と左右の芯材で構成したので、屋根の前端部は容易にその幅を小さくして折り畳むことができ、屋根の前端部を含む全体の幅を小さくすることが可能で、前述のように屋根の前後長の折り畳みによる小型化と併せ、屋根の幅方向も小さくすることが可能となり、トータルとして屋根の小型化を図ることができる。
従って、軽車両のシート下方に設ける収納ボックス内への折り畳んだ屋根の収納を容易に実現可能とすることができる。
【０１０２】
請求項６は、請求項５において、屋根の布状部材前端部を保持する保持部材に、ウインドスクリーンへの取付部材を設け、取付部材を布状部材を保持する芯材に対してヒンジ結合したので、芯材の先端部で布状部材前端部の保持部材が揺動可能となり、軽車両のシート下方に設けた収納ボックスに折り畳んだ布状部材を収納する際、保持部材を収納ボックスの底と平行にすることができる。
【０１０３】
従って、屋根前端部の保持部材の高さを減じて収納ボックスの底と平行に収納できる結果、折り畳んだ屋根を収納ボックス底に小型化して収納することができ、屋根を収納しつつ、ヘルメット等をも併せて収納ボックスに収納することが可能となり、折り畳んだ屋根を収納しつつ、収納ボックスの本来の機能性をも確保することが可能である。
【０１０４】
請求項７は、請求項３におけるリヤピラーの下部ピラーには、車体側に基端部を軸支したアーム部材を設け、アーム部材の先端部には上部ピラーの下端部を軸支し、且つアーム部材に上部ピラーの軸部と係脱自在なロックバーをアームの長さ方向に設け、ロックバーをアーム部材に回動軸を介して軸支した揺動ロック部材に連結し、揺動ロック部材の係合部を、車体側に固定設置した固定ロック部材の係合部に係脱するように構成し、揺動ロック部材の回動軸を操作レバーで回動操作するように構成したので、操作レバーの操作で、揺動ロック部材を固定ロック部材から解除し、又揺動ロック部材の揺動でロックバーと上部ピラーの軸部とのロックを解除し、上部ピラーの下部ピラーに対するロックを解除することができる。
【０１０５】
従って、一つの操作レバーの操作で、下部ピラーのロック解除と、上部ピラーの解除とを同時に行うことができるので、操作性に極めて優れ、折り畳んだ屋根を支持する上部ピラーの折り畳み動、下部ピラーの折り畳み動は連動してなされることとなり、操作が簡単で、折り畳み動も確実になされる。
又リヤピラーの折り畳み作動を行わせる操作レバーも一個で足り、双方の連動機構を設けるので、構造的にも簡素化することができる。
【０１０６】
請求項８は、請求項７において、揺動ロック部材の係合部を爪部で構成し、固定ロック部材の係合部を２個の欠部で構成し、揺動ロック部材の揺動で、下部ピラーをその起立位置、倒れ位置の夫々で、２個の欠部の夫々に選択的に係合するように構成したので、揺動ロック部材と固定ロック部材との係合は、爪と欠部の係合となり、下部ピラーの起立位置、倒れ位置でのロックが確実に行うことができる。
【０１０７】
従って、リヤピラーは、屋根を展開し、張った状態での起立位置での保持が、車両が走行し、風を受けても確実になされ、又屋根の収納を行った後のリヤピラーの倒れ位置での保持が確実に行うことができる。
又爪が揺動し、欠部が固定なので、ロック、アンロック作動が確実になされ、且つロック構造も簡素である。
【図面の簡単な説明】
【図１】本発明にかかる屋根付き軽車両の外観側面図で、屋根を使用した状態の図
【図２】屋根の拡大平面図で、一部を破断した図
【図３】屋根の拡大側面図で、一部を破断した図
【図４】図３の４−４線拡大断面図
【図５】図３の５−５線拡大断面図
【図６】屋根前端部の保持部材の正面図で、半分を破断した図
【図７】保持部材の要部を拡大した破断正面図、
【図８】図７の８−８線断面図
【図９】図７の９−９線断面図
【図１０】図７の１０−１０線断面図
【図１１】保持部材の分解斜視図
【図１２】屋根後端部とリヤピラーとの係合構造を示す要部の拡大縦断面図
【図１３】屋根後端部をリヤピラーから取り外した状態を示す図１２と同様の縦断面図
【図１４】リヤピラーの下部ピラーを詳細に説明する図で、下部ピラーの前面カバーを外した状態の正面図
【図１５】下部ピラーの縦断側面図で起立ロック状態の図
【図１６】図１５の１６−１６線断面図
【図１７】図１５の１７−１７線断面図
【図１８】図１８〜図２１は下部ピラー４６の折り畳みの作動説明図で、図１８は操作レバーを前方に揺動させてロックを解除する操作を示す説明図
【図１９】下部ピラーを後倒し操作する状態の説明図
【図２０】下部ピラーを後倒した状態で、ロック操作する説明図
【図２１】後倒しした下部ピラーのロック状態の説明図
【図２２】下部ピラーの図１５と同様の縦断面図で、下部ピラーの後倒し位置におけるロック状態の縦断面図
【図２３】屋根を前方に摺動させて折り畳む操作を示す説明図
【図２４】折り畳んだ屋根を後方に移動させ、芯材を上部ピラー内に収納する操作を示す説明図
【図２５】上下のピラーを折り畳む操作を示す説明図
【図２６】上下のピラーを折り畳んだ状態を示す説明図
【図２７】屋根を収納ボックス内に収納した状態の説明図屋根を収納ボックス内に収納し、収納凹部の蓋を閉じた状態の図
【図２８】屋根を収納した車両の側面図
【図２９】ウインドスクリーンの昇降機構を示す説明的斜視図
【符号の説明】
１…軽車両、  １２…収納ボックス、  １３…ウインドスクリーン、  １７…車体側部材、  ２０…屋根、  ２１…布状部材、  ２５…芯材、  ２７…布状部材の前端保持部材を芯材に回動自在に支持するヒンジ部材、  ３０…布状部材の前端保持部材、  ３１，３２，３３…保持部材幅縮小機構、  ３７…保持部材のウインドスクリーンへの取付部材、  ４０…リヤピラー、  ４１…上部ピラー、４６…下部ピラー、  ５０…アーム部材、  ５２…上部ピラーの支軸、５２ｃ…上部ピラーのロック部、  ５４…支軸、  ５５…固定ロック部材、  ５５ａ，５５ｂ…欠部、  ５６…支軸、  ５７…揺動ロック部材、  ５７ａ…爪部、  ５８…ロックバー、  ５８ａ…上部ピラーのロック部分、  ６０…操作レバー。
【図１】
0003961631.tif 000002
【図２】
0003961631.tif 000003
【図３】
0003961631.tif 000004
【図４】
0003961631.tif 000005
【図５】
0003961631.tif 000006
【図６】
0003961631.tif 000007
【図７】
0003961631.tif 000008
【図８】
0003961631.tif 000009
【図９】
0003961631.tif 000010
【図１０】
0003961631.tif 000011
【図１１】
0003961631.tif 000012
【図１２】
0003961631.tif 000013
【図１３】
0003961631.tif 000014
【図１４】
0003961631.tif 000015
【図１５】
0003961631.tif 000016
【図１６】
0003961631.tif 000017
【図１７】
0003961631.tif 000018
【図１８】
0003961631.tif 000019
【図１９】
0003961631.tif 000020
【図２０】
0003961631.tif 000021
【図２１】
0003961631.tif 000022
【図２２】
0003961631.tif 000023
【図２３】
0003961631.tif 000024
【図２４】
0003961631.tif 000025
【図２５】
0003961631.tif 000026
【図２６】
0003961631.tif 000027
【図２７】
0003961631.tif 000028
【図２８】
0003961631.tif 000029
【図２９】
0003961631.tif 000030